(57)【要約】【課題】低背化した状態であっても、互いに接続される２つのコネクタの遮蔽構造を接触させることが可能なコネクタを提供する。【解決手段】本発明に係るコネクタ１０は、対向する一対の外周壁３２と、一対の外周壁３２の間に形成される嵌合凸部３３と、を有する第１インシュレータ３０、及び第１インシュレータ３０に保持された第１遮蔽部材６０、を具備する第１コネクタ２０と、嵌合凸部３３に嵌合する嵌合凹部８３を有する第２インシュレータ８０、及び第２インシュレータ８０に保持された第２遮蔽部材１１０、を具備する第２コネクタ７０と、を備え、第１コネクタ２０と第２コネクタ７０との嵌合時に、第１遮蔽部材６０及び第２遮蔽部材１１０のいずれか一方は、他方の一部を受け入れる弾性変形部６２と、弾性変形部６２を貫通し、各々が所定間隔で離間する複数の貫通孔６３とを有する。【選択図】図３
2018022672.tif 000002
【特許請求の範囲】
【請求項１】
対向する一対の外周壁と、当該一対の外周壁の間に形成される嵌合凸部と、を有する第１インシュレータ、及び
前記第１インシュレータに保持された第１遮蔽部材、
を具備する第１コネクタと、
前記嵌合凸部に嵌合する嵌合凹部を有する第２インシュレータ、及び
前記第２インシュレータに保持された第２遮蔽部材、
を具備する第２コネクタと、
を備え、
前記第１コネクタと前記第２コネクタとの嵌合時に、前記第１遮蔽部材及び前記第２遮蔽部材のいずれか一方は、他方の一部を受け入れる弾性変形部と、当該弾性変形部を貫通し、各々が所定間隔で離間する複数の貫通孔とを有する、
コネクタ。
【請求項２】
前記第２遮蔽部材は、略Ｕ字状に屈曲する屈曲部を有し、
前記第１遮蔽部材は、前記弾性変形部を有し、
前記弾性変形部は、前記第１遮蔽部材と前記第２遮蔽部材との嵌合時に、前記屈曲部を受け入れる、
請求項１に記載のコネクタ。
【請求項３】
前記第１遮蔽部材は、外面により構成される第１外周側遮蔽部を有し、
前記第２遮蔽部材は、外面により構成される第２外周側遮蔽部を有し、
前記第１コネクタと前記第２コネクタとの嵌合時に、前記第１外周側遮蔽部と前記第２外周側遮蔽部との間に、空隙が形成される、
請求項２に記載のコネクタ。
【請求項４】
前記第１遮蔽部材は、内側端部に第１係合部を有し、
前記第２遮蔽部材は、前記内側端部に対応する位置に第２係合部を有し、
前記第１係合部と前記第２係合部とは、前記第１コネクタと前記第２コネクタとの嵌合時に係合する、
請求項２又は３に記載のコネクタ。
【請求項５】
前記第１遮蔽部材は、前記弾性変形部の先端から、第１インシュレータの内側に向かって傾斜するように突設される誘い込み部を有する、
請求項２乃至４のいずれか１項に記載のコネクタ。
【請求項６】
前記第１遮蔽部材は、前記第１外周側遮蔽部の端部に形成され、各々が所定間隔で離間する複数の第１実装部を有する、
請求項３に記載のコネクタ。
【請求項７】
前記第１実装部は、前記第１外周側遮蔽部の前記端部から略Ｌ字状に内側に延出する、
請求項６に記載のコネクタ。
【請求項８】
前記第２遮蔽部材は、前記第２外周側遮蔽部の端部に形成され、各々が所定間隔で離間する複数の第２実装部を有する、
請求項３に記載のコネクタ。
【請求項９】
前記第２実装部は、前記第２外周側遮蔽部の前記端部から嵌合方向に直線状に延出する、
請求項８に記載のコネクタ。
【発明の詳細な説明】
【技術分野】
【０００１】
本発明は、コネクタに関する。
【背景技術】
【０００２】
近年、電子機器では情報量の増加又は通信速度の高速化が著しく進んでおり、機器内のノイズ対策が重要な課題となっている。一方で、近年の電子機器は小型化が進んでおり、電子機器内に実装されるコネクタ自体にも小型化が要求される。そこで、低背化したコネクタにおいても、互いに接続される２つのコネクタがそれぞれ有するシールド構造を確実に接触させ、十分なノイズ遮蔽効果を得ることが必要となる。
【０００３】
特許文献１に記載の回路基板用電気コネクタでは、ノイズに対する遮蔽効果を得るために、２つのシールド部材が、ハウジングの外周面のほぼ全域を覆っている。
【先行技術文献】
【特許文献】
【０００４】
【特許文献１】特開２００８−１４６８７０号公報
【発明の概要】
【発明が解決しようとする課題】
【０００５】
しかしながら、特許文献１に記載の回路基板用電気コネクタは、低背化した状態で、互いに接続される２つのコネクタのシールド構造を接触させる点については考慮していなかった。
【０００６】
かかる観点に鑑みてなされた本発明の目的は、低背化した状態であっても、互いに接続される２つのコネクタの遮蔽構造を接触させることが可能なコネクタを提供することにある。
【課題を解決するための手段】
【０００７】
上記課題を解決するために、第１の観点に係るコネクタは、
対向する一対の外周壁と、当該一対の外周壁の間に形成される嵌合凸部と、を有する第１インシュレータ、及び
前記第１インシュレータに保持された第１遮蔽部材、
を具備する第１コネクタと、
前記嵌合凸部に嵌合する嵌合凹部を有する第２インシュレータ、及び
前記第２インシュレータに保持された第２遮蔽部材、
を具備する第２コネクタと、
を備え、
前記第１コネクタと前記第２コネクタとの嵌合時に、前記第１遮蔽部材及び前記第２遮蔽部材のいずれか一方は、他方の一部を受け入れる弾性変形部と、当該弾性変形部を貫通し、各々が所定間隔で離間する複数の貫通孔とを有する。
【０００８】
また、第２の観点に係るコネクタでは、
前記第２遮蔽部材は、略Ｕ字状に屈曲する屈曲部を有し、
前記第１遮蔽部材は、前記弾性変形部を有し、
前記弾性変形部は、前記第１遮蔽部材と前記第２遮蔽部材との嵌合時に、前記屈曲部を受け入れる。
【０００９】
また、第３の観点に係るコネクタでは、
前記第１遮蔽部材は、外面により構成される第１外周側遮蔽部を有し、
前記第２遮蔽部材は、外面により構成される第２外周側遮蔽部を有し、
前記第１コネクタと前記第２コネクタとの嵌合時に、前記第１外周側遮蔽部と前記第２外周側遮蔽部との間に、空隙が形成される。
【００１０】
また、第４の観点に係るコネクタでは、
前記第１遮蔽部材は、内側端部に第１係合部を有し、
前記第２遮蔽部材は、前記内側端部に対応する位置に第２係合部を有し、
前記第１係合部と前記第２係合部とは、前記第１コネクタと前記第２コネクタとの嵌合時に係合する。
【００１１】
また、第５の観点に係るコネクタでは、
前記第１遮蔽部材は、前記弾性変形部の先端から、第１インシュレータの内側に向かって傾斜するように突設される誘い込み部を有する。
【００１２】
また、第６の観点に係るコネクタでは、
前記第１遮蔽部材は、前記第１外周側遮蔽部の端部に形成され、各々が所定間隔で離間する複数の第１実装部を有する。
【００１３】
また、第７の観点に係るコネクタでは、
前記第１実装部は、前記第１外周側遮蔽部の前記端部から略Ｌ字状に内側に延出する。
【００１４】
また、第８の観点に係るコネクタでは、
前記第２遮蔽部材は、前記第２外周側遮蔽部の端部に形成され、各々が所定間隔で離間する複数の第２実装部を有する。
【００１５】
また、第９の観点に係るコネクタでは、
前記第２実装部は、前記第２外周側遮蔽部の前記端部から嵌合方向に直線状に延出する。
【発明の効果】
【００１６】
本発明によれば、低背化した状態であっても、互いに接続される２つのコネクタの遮蔽構造を接触させることが可能なコネクタを提供できる。
【図面の簡単な説明】
【００１７】
【図１】本実施形態のコネクタを、リセプタクルコネクタとプラグコネクタとが分離した状態で上面視により示した斜視図である。
【図２】リセプタクルコネクタ単体を上面視により示した斜視図である。
【図３】リセプタクルコネクタ単体の上面図である。
【図４】リセプタクルコネクタの上面視による分解斜視図である。
【図５】リセプタクルインシュレータ単体を上面視により示した斜視図である。
【図６】図５のVI部の拡大図である。
【図７】図５のVII−VII矢線に沿う断面図である。
【図８】図５のVIII−VIII矢線に沿う断面図である。
【図９】リセプタクルコンタクト単体を上面視により示した斜視図である。
【図１０】図２のX−X矢線に沿う断面図である。
【図１１】リセプタクル電源コンタクト単体を上面視により示した斜視図である。
【図１２】図２のXII−XII矢線に沿う断面図である。
【図１３】一対のリセプタクル遮蔽部材を上面視により示した斜視図である。
【図１４】プラグコネクタ単体を上面視により示した斜視図である。
【図１５】プラグコネクタ単体の上面図である。
【図１６】プラグ成形品のうちプラグインシュレータのみを上面視により示した斜視図である。
【図１７】プラグコンタクト単体を上面視により示した斜視図である。
【図１８】図１５のXVIII−XVIII矢線に沿う断面図である。
【図１９】プラグ電源コンタクト単体を上面視により示した斜視図である。
【図２０】図１５のXX−XX矢線に沿う断面図である。
【図２１】一対のプラグ遮蔽部材を上面視により示した斜視図である。
【図２２】図１のコネクタを、リセプタクルコネクタとプラグコネクタとが嵌合した状態で上面視により示した斜視図である。
【図２３】リセプタクルコネクタとプラグコネクタとの嵌合時の様子を、図２２のXXIII−XXIII矢線に沿って示した断面図である。
【図２４】リセプタクルコネクタとプラグコネクタとの嵌合時の様子を、図２２のXXIV−XXIV矢線に沿って示した断面図である。
【発明を実施するための形態】
【００１８】
以下、添付図面を参照しながら本発明の一実施形態について説明する。なお、以下の説明中の前後、左右、及び上下の方向は、図中の矢印の方向を基準としている。また、以下の説明では、第１コネクタは、リセプタクルコネクタ２０であり、第２コネクタは、プラグコネクタ７０であるものとして説明する。しかしながら、これに限定されず、第１コネクタがプラグの役割を果たし、第２コネクタがリセプタクルの役割を果たしてもよい。
【００１９】
また、以下の説明では、リセプタクルコネクタ２０及びプラグコネクタ７０は、回路基板ＣＢ１及びＣＢ２に対して、それぞれ垂直方向に嵌合されるものとして説明する。すなわち、リセプタクルコネクタ２０及びプラグコネクタ７０は、上下方向に沿って嵌合する。しかしながら、これに限定されず、リセプタクルコネクタ２０及びプラグコネクタ７０が、回路基板ＣＢ１及びＣＢ２に対して、それぞれ平行方向に嵌合されてもよいし、一方が垂直方向、他方が平行方向による組み合わせで嵌合されてもよい。さらに、リセプタクルコネクタ２０又はプラグコネクタ７０は、リジッド基板以外の回路基板、例えば、フレキシブルプリント回路基板（ＦＰＣ）に接続されてもよい。
【００２０】
図１は、本実施形態のコネクタ１０を、リセプタクルコネクタ２０とプラグコネクタ７０とが分離した状態で上面視により示した斜視図である。
【００２１】
本実施形態のコネクタ１０は、大きな構成要素として、リセプタクルコネクタ２０（第１コネクタ）と、プラグコネクタ７０（第２コネクタ）と、を具備している。
【００２２】
図２は、リセプタクルコネクタ２０単体を上面視により示した斜視図である。図３は、リセプタクルコネクタ２０単体の上面図である。図４は、リセプタクルコネクタ２０の上面視による分解斜視図である。図５は、リセプタクルインシュレータ３０単体を上面視により示した斜視図である。図６は、図５のVI部の拡大図である。図７は、図５のVII−VII矢線に沿う断面図である。図８は、図５のVIII−VIII矢線に沿う断面図である。図９は、リセプタクルコンタクト４０単体を上面視により示した斜視図である。図１０は、図２のX−X矢線に沿う断面図である。図１１は、リセプタクル電源コンタクト５０単体を上面視により示した斜視図である。図１２は、図２のXII−XII矢線に沿う断面図である。図１３は、一対のリセプタクル遮蔽部材６０を上面視により示した斜視図である。
【００２３】
初めに、リセプタクルコネクタ２０の詳しい構造について主に図２〜図１３を参照しながら説明する。
【００２４】
図４に示すとおり、リセプタクルコネクタ２０は、大きな構成要素としてリセプタクルインシュレータ３０（第１インシュレータ）と、複数のリセプタクルコンタクト４０（コンタクト）と、４個のリセプタクル電源コンタクト５０と、一対のリセプタクル遮蔽部材６０（第１遮蔽部材）と、を具備している。
【００２５】
リセプタクルインシュレータ３０は、絶縁性かつ耐熱性の合成樹脂料を射出成形した、左右方向に延びる部材である（図５参照）。リセプタクルインシュレータ３０は、下部を構成する底板部３１と、底板部３１の上面の前後側周縁部から上方に突出し、互いに対向する一対の外周壁３２と、底板部３１の上面から上方に突出し、一対の外周壁３２の間に形成される嵌合凸部３３と、を具備している。外周壁３２から内側に離間する嵌合凸部３３は、左右方向に直線的に延びている。外周壁３２と嵌合凸部３３との間に形成された空間は、一対の嵌合凹部３４を構成している。
【００２６】
外周壁３２の前壁３２ａの上面及び後面と、底板部３１の底面（上面）と、嵌合凸部３３の前面及び上面とに跨る部分には、複数のリセプタクルコンタクト４０を取り付けるための複数のコンタクト取付溝３５が、左右方向に並んで凹設される（図６参照）。同様に、外周壁３２の後壁３２ｂの上面及び前面と、底板部３１の底面（上面）と、嵌合凸部３３の後面及び上面とに跨る部分には、複数のリセプタクルコンタクト４０を取り付けるための複数のコンタクト取付溝３５が、左右方向に並んで凹設される。コンタクト取付溝３５は、リセプタクルインシュレータ３０を上下方向に貫通するようにそれぞれ形成される。コンタクト取付溝３５の数は、リセプタクルコンタクト４０の数と同一である。コンタクト取付溝３５は、嵌合凸部３３の前面及び後面にそれぞれ形成され、嵌合凸部３３の内側により深く凹設された変形許容溝３５ａを具備する（図７参照）。コンタクト取付溝３５は、前壁３２ａ及び後壁３２ｂの後面及び前面にそれぞれ形成された溝部分の左右両側面に突設され、上下方向に延在する、コンタクト係合突起３５ｂを具備する。
【００２７】
前壁３２ａの左右両端部の上面及び後面と、底板部３１の底面（上面）と、嵌合凸部３３の左右両端部の前面及び上面とに跨る部分には、リセプタクル電源コンタクト５０を取り付けるための電源コンタクト取付溝３６が、凹設される（図６参照）。同様に、後壁３２ｂの左右両端部の上面及び前面と、底板部３１の底面（上面）と、嵌合凸部３３の左右両端部の後面及び上面とに跨る部分には、リセプタクル電源コンタクト５０を取り付けるための電源コンタクト取付溝３６が、凹設される。電源コンタクト取付溝３６は、リセプタクルインシュレータ３０を上下方向に貫通するようにそれぞれ形成される。電源コンタクト取付溝３６の数は、リセプタクル電源コンタクト５０の数と同一である。電源コンタクト取付溝３６は、嵌合凸部３３の前面及び後面にそれぞれ形成され、嵌合凸部３３の内側により深く凹設された変形許容溝３６ａを具備する（図８参照）。電源コンタクト取付溝３６は、前壁３２ａ及び後壁３２ｂの後面及び前面にそれぞれ形成された溝部分の左右両側面に突設され、上下方向に延在する、電源コンタクト係合突起３６ｂを具備する。
【００２８】
リセプタクルインシュレータ３０の左右両縁部には、一対のリセプタクル遮蔽部材６０を支持するための一対の支持部３７が形成される（図５参照）。一対の支持部３７は、リセプタクルインシュレータ３０の左右両縁部同士で点対称な配置となっている。一対の支持部３７は、各縁部において、一方の前後方向の長さが他方の前後方向の長さに比べて短くなるように形成される。また、一対の支持部３７全体の前後幅は、各縁部において、前壁３２ａの外面と後壁３２ｂの外面との間の前後幅よりも大きい。
【００２９】
各リセプタクルコンタクト４０は、ばね弾性を備えた銅合金（例えば、リン青銅、ベリリウム銅、若しくはチタン銅）又はコルソン系銅合金の薄板を順送金型（スタンピング）を用いて図示形状に成形加工したものである（図９参照）。各リセプタクルコンタクト４０の表面には、ニッケルメッキで下地を形成した後に、金又は錫などによるメッキが施されている。
【００３０】
リセプタクルコンタクト４０は、略Ｌ字状に外側に延出する実装部４１を具備する。リセプタクルコンタクト４０は、実装部４１の内側端部の上方に連続する部分と、当該部分と前後方向に離間しかつ対向する部分と、から構成される一対の係止部４２を具備する。さらに、リセプタクルコンタクト４０は、一対の係止部４２を接続する湾曲部４３と、内側に形成された係止部４２に連続する略Ｓ字状の弾性接触片４４と、弾性接触片４４の先端部に外側に向いて形成される接触部４５（第１接触部）と、を具備する。
【００３１】
湾曲部４３は、接触部４５のうち湾曲部４３側に最も突出している部分よりも低い位置に形成される。また、弾性接触片４４は、湾曲部４３よりも幅広である。さらに、弾性接触片４４の先端は、接触部４５のうち湾曲部４３側に最も突出している部分と同程度の高さ位置に形成される。
【００３２】
各リセプタクルコンタクト４０は、リセプタクルインシュレータ３０の下方から圧入され、一対の係止部４２とコンタクト係合突起３５ｂとが係合しながらコンタクト取付溝３５の左右内壁面に係止する。これにより、各リセプタクルコンタクト４０は、各コンタクト取付溝３５に対して保持される（図４、図１０参照）。リセプタクルコンタクト４０がリセプタクルインシュレータ３０（コンタクト取付溝３５）に保持されると、弾性接触片４４が変形許容溝３５ａの内面から離間する。従って、弾性接触片４４は、変形許容溝３５ａ内において前後方向に弾性変形可能である（図１０参照）。さらに、各リセプタクルコンタクト４０の実装部４１は、外周壁３２の外周側に位置する。すなわち、各リセプタクルコンタクト４０の実装部４１の先端は、外周壁３２よりも外側に位置する。
【００３３】
リセプタクル電源コンタクト５０は、略Ｌ字状に外側に延出する実装部５１を具備する（図１１参照）。リセプタクル電源コンタクト５０は、実装部５１の内側端部の上方に連続する部分と、当該部分と前後方向に離間しかつ対向する部分と、から構成される一対の係止部５２を具備する。さらに、リセプタクル電源コンタクト５０は、一対の係止部５２を接続する湾曲部５３と、内側に形成された係止部５２に連続する略Ｓ字状の弾性接触片５４と、弾性接触片５４の先端部に外側に向いて形成される接触部５５と、内側に形成された係止部５２の上部に位置する突起５６と、を具備する。
【００３４】
各リセプタクル電源コンタクト５０は、リセプタクルインシュレータ３０の下方から圧入され、一対の係止部５２と電源コンタクト係合突起３６ｂとが係合しながら電源コンタクト取付溝３６の左右内壁面に係止する。これにより、各リセプタクル電源コンタクト５０は、各電源コンタクト取付溝３６に対して保持される（図４、図１２参照）。リセプタクル電源コンタクト５０がリセプタクルインシュレータ３０（電源コンタクト取付溝３６）に保持されると、弾性接触片５４が変形許容溝３６ａの内面から離間する。従って、弾性接触片５４は、変形許容溝３６ａ内において前後方向に弾性変形可能である（図１２参照）。さらに、各リセプタクル電源コンタクト５０の実装部５１は、外周壁３２の外周側に位置する。すなわち、各リセプタクル電源コンタクト５０の実装部５１の先端は、外周壁３２よりも外側に位置する。
【００３５】
前後一対のリセプタクル遮蔽部材６０は、互いに同一形状の同一部品である（図３、図１３参照）。各リセプタクル遮蔽部材６０は、金属板（導電性材料）をプレス成形したものである。各リセプタクル遮蔽部材６０は、その外面により構成され、左右方向に延びる平板状の外周側遮蔽部６１（第１外周側遮蔽部）を具備している。リセプタクル遮蔽部材６０は、外周側遮蔽部６１の下縁部からリセプタクルインシュレータ３０側（内側）に向かって形成される弾性変形部６２を具備している。弾性変形部６２は、外周側遮蔽部６１の下縁部から内側に向かって所定の幅だけ水平に延出し、水平に延出している部分の端縁部において外側に向かって上方向に屈曲する（図１２参照）。外周側遮蔽部６１と弾性変形部６２とによって囲まれる空間は、上方に開口する。リセプタクル遮蔽部材６０は、弾性変形部６２を上下方向に貫通し、各々が所定間隔で離間する複数の貫通孔６３と、弾性変形部６２の先端から、リセプタクルインシュレータ３０の内側に向かって傾斜するように突設される誘い込み部６４と、をさらに具備する。
【００３６】
また、リセプタクル遮蔽部材６０は、外周側遮蔽部６１の下端部に形成され、各々が所定間隔で離間する複数の実装部６５（第１実装部）を具備する。実装部６５は、外周側遮蔽部６１の下端部から略Ｌ字状に内側に向かって延出する。実装部６５の左右方向の位置は、対応する貫通孔６３の左右方向の位置と一致する。すなわち、実装部６５の先端は、貫通孔６３の直下に配置される（図３参照）。
【００３７】
リセプタクル遮蔽部材６０は、内側の左右両端部に突設される係合部６６（第１係合部）を具備する（図１３参照）。係合部６６は、外周側遮蔽部６１の内側の左右両端部において、爪状に一対突設される。リセプタクル遮蔽部材６０は、外周側遮蔽部６１の左右両端部からリセプタクルインシュレータ３０側に向かって延在する一対の短手部６７を有する。対向する短手部６７の前後方向における長さは、非対称である。より具体的には、対向する短手部６７のうち、一方の短手部６７の前後方向の長さは、他方の短手部６７の前後方向の長さに比べて短い。対向する短手部６７のうち、前後方向の長さがより長い短手部６７の前後幅は、リセプタクルコネクタ２０全体の前後幅の半分よりも大きい。一対の短手部６７には、それぞれ取付部６８が形成される。取付部６８は、断面視において略コ字状である。すなわち、取付部６８は、左右両側面と上面との３面により構成される。一対の取付部６８のうち、一方の取付部６８の前後方向の長さは、他方の取付部６８の前後方向の長さに比べて短い。また、取付部６８の上縁部は、Ｒ形状となっている。
【００３８】
各リセプタクル遮蔽部材６０は、一対の取付部６８と支持部３７とが上方より係止することにより、リセプタクルインシュレータ３０に対して保持される（図４、図１０、図１２参照）。リセプタクル遮蔽部材６０がリセプタクルインシュレータ３０に保持されると、リセプタクル遮蔽部材６０の一部は、リセプタクルインシュレータ３０と離間する。より具体的には、外周壁３２と、弾性変形部６２及び誘い込み部６４とが、前後方向に離間する。すなわち、外周壁３２と、弾性変形部６２及び誘い込み部６４との間には、左右方向にわたる空隙Ｓ１が形成される。この時、リセプタクルコンタクト４０の実装部４１の先端及びリセプタクル電源コンタクト５０の実装部５１の先端は、空隙Ｓ１において、上下方向（第１コネクタと第２コネクタとの嵌合方向）からそれぞれ視認可能である（図３参照）。また、リセプタクル遮蔽部材６０の実装部６５の先端は、貫通孔６３において、上下方向（第１コネクタと第２コネクタとの嵌合方向）から視認可能である。
【００３９】
また、リセプタクル遮蔽部材６０がリセプタクルインシュレータ３０に保持されると、リセプタクル遮蔽部材６０の外周側遮蔽部６１の上縁部は、リセプタクルインシュレータ３０の外周壁３２及び嵌合凸部３３の上面よりもわずかに上方に位置する（図１０、図１２参照）。
【００４０】
さらに、リセプタクル遮蔽部材６０の遮蔽構造は、前後左右方向に沿った二重構造である。より具体的には、その遮蔽構造は、平板状の外周側遮蔽部６１と弾性変形部６２及び誘い込み部６４との左右方向に沿った二重構造を含む。同様に、その遮蔽構造は、取付部６８の左右両側面による前後方向に沿った二重構造を含む。
【００４１】
以上構造のリセプタクルコネクタ２０では、回路基板ＣＢ１（リジッド基板。第１回路基板。図１０、図１２参照）の実装面に形成された回路パターンに対して、各リセプタクルコンタクト４０の実装部４１をはんだ付けする。また、当該実装面に形成された電源パターンに対して、各リセプタクル電源コンタクト５０の実装部５１をはんだ付けする。さらに、当該実装面に形成された接地パターンに対して、リセプタクル遮蔽部材６０の各実装部６５をはんだ付けする。以上により、リセプタクルコネクタ２０は、回路基板ＣＢ１に対して実装される。回路基板ＣＢ１の実装面には、リセプタクルコネクタ２０とは別の電子部品（例えば、ＣＰＵ、コントローラ、又はメモリ等）が実装される。
【００４２】
続いて、プラグコネクタ７０の詳しい構造について主に図１４〜図２１を参照しながら説明する。
【００４３】
図１４は、プラグコネクタ７０単体を上面視により示した斜視図である。図１５は、プラグコネクタ７０単体の上面図である。図１６は、プラグ成形品７５のうちプラグインシュレータ８０のみを上面視により示した斜視図である。図１７は、プラグコンタクト９０単体を上面視により示した斜視図である。図１８は、図１５のXVIII−XVIII矢線に沿う断面図である。図１９は、プラグ電源コンタクト１００単体を上面視により示した斜視図である。図２０は、図１５のXX−XX矢線に沿う断面図である。図２１は、一対のプラグ遮蔽部材１１０を上面視により示した斜視図である。
【００４４】
プラグコネクタ７０は、大きな構成要素としてプラグ成形品７５と、４個のプラグ電源コンタクト１００と、一対のプラグ遮蔽部材１１０（第２遮蔽部材）と、を具備している。プラグ成形品７５は、プラグインシュレータ８０（第２インシュレータ）と、複数のプラグコンタクト９０（コンタクト）とから構成される。
【００４５】
プラグ成形品７５は、絶縁性かつ耐熱性の合成樹脂料を、複数のプラグコンタクト９０とともにインサート成形した、左右方向に延びる板状部材である。プラグ成形品７５を構成するプラグインシュレータ８０は、下部を構成する底板部８１と、底板部８１の上面の周縁部全体から上方に突出する環状壁８２と、を具備している（図１６参照）。底板部８１と環状壁８２とによって形成された空間は嵌合凹部８３を構成している。
【００４６】
環状壁８２の前壁８２ａ及び後壁８２ｂには、前後両面及び上面に跨る断面略Ｕ字状の複数のコンタクト保持溝８４が、左右方向に並んで凹設される。複数のコンタクト保持溝８４には、複数のプラグコンタクト９０がそれぞれ保持される。複数のコンタクト保持溝８４の数は、プラグコンタクト９０の数と同一である。
【００４７】
前壁８２ａの左右両端部には、前後両面及び上面に跨る断面略Ｕ字状の電源コンタクト取付溝８５が、凹設される。同様に、後壁３２ｂの左右両端部には、前後両面及び上面に跨る断面略Ｕ字状の電源コンタクト取付溝８５が、凹設される。電源コンタクト取付溝８５には、プラグ電源コンタクト１００が取り付けられる。電源コンタクト取付溝８５の数は、プラグ電源コンタクト１００の数と同一である。
【００４８】
プラグインシュレータ８０の左右両縁部には、２つのプラグ遮蔽部材１１０を支持するための一対の支持部８６が形成される。一対の支持部８６は、プラグインシュレータ８０の左右両縁部同士で点対称な配置となっている。一対の支持部８６は、各縁部において、一方の前後方向の長さが他方の前後方向の長さに比べて短くなるように形成される。また、一対の支持部８６全体の前後幅は、各縁部において、環状壁８２の前後幅よりも大きい。
【００４９】
各プラグコンタクト９０は、銅合金（例えば、リン青銅、ベリリウム銅、若しくはチタン銅）又はコルソン系銅合金の薄板を順送金型（スタンピング）を用いて図示形状に成形加工したものである（図１７参照）。各プラグコンタクト９０の表面には、ニッケルメッキで下地を形成した後に、金又は錫などによるメッキが施されている。
【００５０】
プラグコンタクト９０は、略Ｌ字状に外側に延出する実装部９１を具備する。また、プラグコンタクト９０は、実装部９１の内側端部の上方から連続し、内側に向いて形成される接触部９２（第２接触部）と、接触部９２から外側に向かって略Ｕ字状に延出する延出部９３と、を具備する。プラグコンタクト９０は、接触部９２の上部に形成されるプラグ突起９４と、延出部９３の上面に形成される誘い込み部９５と、をさらに具備する。
【００５１】
延出部９３の略Ｕ字の先端は接触部９２と同程度の高さ位置に形成される。
【００５２】
各プラグコンタクト９０は、実装部９１の先端を除いた他の部分の内面全体とコンタクト保持溝８４とが接面することにより、各コンタクト保持溝８４に対して保持される（図１８参照）。プラグコンタクト９０がプラグインシュレータ８０（コンタクト保持溝８４）に保持されると、各プラグコンタクト９０の実装部９１は、環状壁８２の外周側に位置する。すなわち、各プラグコンタクト９０の実装部９１の先端は、環状壁８２よりも外側に位置する。
【００５３】
プラグ電源コンタクト１００は、略Ｌ字状に外側に延出する実装部１０１を具備する（図１９参照）。また、プラグ電源コンタクト１００は、実装部１０１の内側端部の上方から連続し、内側に向かって略Ｕ字状に延出する延出部１０２と、延出部１０２の外面において内側に向いて形成される接触部１０３と、を具備する。プラグ電源コンタクト１００は、延出部１０２の外側部分の左右両側面から突出する係止部１０４と、延出部１０２の上面に形成される誘い込み部１０５と、延出部１０２の外面において外側に向いて突出する第１突起１０６と、接触部１０３の上部に形成される第２突起１０７と、をさらに具備する。また、プラグ電源コンタクト１００は、延出部１０２の略Ｕ字の先端に形成されるスタビライザ１０８をさらに具備する。
【００５４】
各プラグ電源コンタクト１００は、プラグ成形品７５の上方から圧入され、電源コンタクト取付溝８５の外側の溝部と係止部１０４とが係止することで、各電源コンタクト取付溝８５に対して保持される（図１４、図１６、図２０参照）。プラグ電源コンタクト１００がプラグ成形品７５（電源コンタクト取付溝８５）に保持されると、各プラグ電源コンタクト１００の実装部１０１は、環状壁８２の外周側に位置する。すなわち、各プラグ電源コンタクト１００の実装部１０１の先端は、環状壁８２よりも外側に位置する。また、各プラグ電源コンタクト１００のスタビライザ１０８は、電源コンタクト取付溝８５の内側の最深部に係合する（図２０参照）。
【００５５】
前後一対のプラグ遮蔽部材１１０は、互いに同一形状の同一部品である（図２１参照）。各プラグ遮蔽部材１１０は金属板（導電性材料）をプレス成形したものである。各プラグ遮蔽部材１１０は、その外面により構成され、左右方向に延びる平板状の外周側遮蔽部１１１（第２外周側遮蔽部）を具備している。外周側遮蔽部１１１の内側には、外周側遮蔽部１１１と平行な平板からなる内周側遮蔽部１１２が位置している。内周側遮蔽部１１２の左右幅は、外周側遮蔽部１１１より短く、かつ、内周側遮蔽部１１２の下縁部は、外周側遮蔽部１１１の下縁部より上方に位置している（図１８、図２０、図２１参照）。プラグ遮蔽部材１１０は、内周側遮蔽部１１２の上縁部と外周側遮蔽部１１１の上縁部とを接続する湾曲接続部１１３を具備する。湾曲接続部１１３の断面形状は、上側に向かって凸の湾曲形状である。外周側遮蔽部１１１と、内周側遮蔽部１１２と、湾曲接続部１１３とは、略Ｕ字状に屈曲する屈曲部１１４を構成する。屈曲部１１４は、プラグ成形品７５側に向けて形成される。
【００５６】
プラグ遮蔽部材１１０は、外周側遮蔽部１１１の下端部に形成され、各々が所定間隔で離間する複数の実装部１１５（第２実装部）を具備する。実装部１１５は、外周側遮蔽部１１１の下端部から上下方向（第１コネクタと第２コネクタとの嵌合方向）に直線状に延出する。
【００５７】
プラグ遮蔽部材１１０は、外側の左右両端部に凹設される係合部１１６（第２係合部）を具備する（図２１参照）。係合部１１６の位置は、リセプタクル遮蔽部材６０の係合部６６の位置に対応する。係合部１１６は、外周側遮蔽部１１１の外側の左右両端部において、凹み状に一対形成される。プラグ遮蔽部材１１０は、外周側遮蔽部１１１の左右両端部からプラグインシュレータ８０側に向かって延在する一対の短手部１１７を有する。対向する短手部１１７の前後方向における長さは、非対称である。より具体的には、対向する短手部１１７のうち、一方の短手部１１７の前後方向の長さは、他方の短手部１１７の前後方向の長さに比べて短い。対向する短手部１１７のうち、前後方向の長さがより長い短手部１１７の前後幅は、プラグコネクタ７０全体の前後幅の半分よりも大きい。一対の短手部１１７には、それぞれ取付部１１８が形成される。取付部１１８は、断面視において略コ字状である。すなわち、取付部１１８は、左右両側面と上面との３面により構成される。一対の取付部１１８のうち、一方の取付部１１８の前後方向の長さは、他方の取付部１１８の前後方向の長さに比べて短い。また、取付部１１８の上縁部は、Ｒ形状となっている。
【００５８】
各プラグ遮蔽部材１１０は、一対の取付部１１８と支持部８６とが上方より係止することにより、プラグ成形品７５に対して保持される（図１４、図１８、図２０参照）。プラグ遮蔽部材１１０がプラグ成形品７５に保持されると、プラグ遮蔽部材１１０の一部は、プラグインシュレータ８０と離間する。より具体的には、環状壁８２と、内周側遮蔽部１１２とが、前後方向に離間する。すなわち、環状壁８２と、内周側遮蔽部１１２との間には、左右方向にわたる空隙Ｓ２が形成される。この時、プラグコンタクト９０の実装部９１の先端及びプラグ電源コンタクト１００の実装部１０１の先端は、空隙Ｓ２において、上下方向（第１コネクタと第２コネクタとの嵌合方向）からそれぞれ視認可能である（図１５）。
【００５９】
また、プラグ遮蔽部材１１０の遮蔽構造は、前後左右方向に沿った二重構造である。より具体的には、その遮蔽構造は、平板状の外周側遮蔽部１１１と内周側遮蔽部１１２との左右方向に沿った二重構造を含む。同様に、その遮蔽構造は、取付部１１８の左右両側面による前後方向に沿った二重構造を含む。
【００６０】
以上構造のプラグコネクタ７０は、回路基板ＣＢ１と平行な板材である回路基板ＣＢ２（リジッド基板。第２回路基板。図１８、図２０参照）の一方の面に形成した実装面に実装される。具体的には、各プラグコンタクト９０の実装部９１を、回路基板ＣＢ２の実装面に形成された回路パターンに対してはんだ付けし、かつ、各プラグ電源コンタクト１００の実装部１０１を、当該実装面に形成された電源パターンに対してはんだ付けする。また、プラグ遮蔽部材１１０の各実装部１１５を、当該実装面に形成された接地パターンに対してはんだ付けする。回路基板ＣＢ２の実装面には、プラグコネクタ７０とは別の電子部品（例えば、高機能用モジュール、半導体、又は大容量メモリ等）が実装される。
【００６１】
続いて、リセプタクルコネクタ２０に対してプラグコネクタ７０を接続する要領について説明する。
【００６２】
図２２は、図１のコネクタ１０を、リセプタクルコネクタ２０とプラグコネクタ７０とが嵌合した状態で上面視により示した斜視図である。図２３は、リセプタクルコネクタ２０とプラグコネクタ７０との嵌合時の様子を、図２２のXXIII−XXIII矢線に沿って示した断面図である。図２３（ａ）は、嵌合前の様子を示し、図２３（ｂ）は、嵌合後の様子を示す。図２４は、リセプタクルコネクタ２０とプラグコネクタ７０との嵌合時の様子を、図２２のXXIV−XXIV矢線に沿って示した断面図である。図２４（ａ）は、嵌合前の様子を示し、図２４（ｂ）は、嵌合後の様子を示す。
【００６３】
初めに、図１、図２３（ａ）、及び図２４（ａ）に示すように、プラグコネクタ７０の上下方向の向きを逆にした状態で、リセプタクルコネクタ２０とプラグコネクタ７０との前後位置及び左右位置を略一致させながら、互いを上下方向に対向させる。そして、プラグコネクタ７０を下方に移動させる。この時、互いの位置が例えば前後方向に多少ずれていても、上述のとおり、外周側遮蔽部６１の上縁部は、リセプタクルインシュレータ３０の外周壁３２及び嵌合凸部３３の上面よりもわずかに上方に位置しているため、プラグ遮蔽部材１１０の湾曲接続部１１３と最初に当接する。これにより、プラグコネクタ７０がリセプタクルコネクタ２０内に誘い込まれる。同様に、互いの位置が例えば左右方向に多少ずれていても、プラグ遮蔽部材１１０の取付部１１８の下縁部と、同じくＲ形状である、リセプタクル遮蔽部材６０の取付部６８の上縁部とが接触して、前者が後者によって誘い込まれる。
【００６４】
一方で、例えば、リセプタクルコネクタ２０とプラグコネクタ７０との位置が左右方向にずれている場合、上述のとおり、リセプタクルコネクタ２０の取付部６８は、プラグコネクタ７０の取付部１１８と当接する。従って、リセプタクルコネクタ２０とプラグコネクタ７０とは、嵌合しない。このような場合に、各コネクタ同士を無理に嵌合しようとしても、取付部６８及び取付部１１８のそれぞれの金属平面が互いに当接する。従って、コネクタ１０は、リセプタクルコネクタ２０及びプラグコネクタ７０の破損を防止できる。
【００６５】
プラグコネクタ７０をさらに下方へと移動させると、互いの位置が例えば前後方向に多少ずれていても、プラグコンタクト９０の誘い込み部９５及びプラグ電源コンタクト１００の誘い込み部１０５を含む前壁８２ａ及び後壁８２ｂの下端面が、外周壁３２の内縁部と接触することによって、前壁８２ａ及び後壁８２ｂが嵌合凹部３４に侵入する。すなわち、プラグコンタクト９０の誘い込み部９５及びプラグ電源コンタクト１００の誘い込み部１０５が、嵌合凹部３４内に侵入する（図２３、図２４参照）。プラグコネクタ７０をさらに下方へと移動させると、リセプタクル遮蔽部材６０の誘い込み部６４によって、プラグ遮蔽部材１１０の屈曲部１１４が下方へと案内される。
【００６６】
この時、プラグコンタクト９０のプラグ突起９４とリセプタクルコンタクト４０の接触部４５とが接触し、プラグ突起９４が、弾性接触片４４を変形許容溝３５ａ内において内側に弾性変形させる。そして、プラグ突起９４が下方に移動しながら接触部４５を乗り越えて、接触部９２と接触部４５とが接触する。プラグコンタクト９０とリセプタクルコンタクト４０との接触は、接触部９２と接触部４５との接触による一点のみである。より詳細には、接触部４５のうち湾曲部４３側に最も突出している部分と接触部９２の対応する部分とが、１つの接点を構成する。以上により、プラグコンタクト９０及びリセプタクルコンタクト４０を介して、回路基板ＣＢ２と回路基板ＣＢ１とが電気的に導通可能になる。
【００６７】
同様に、プラグ電源コンタクト１００の第１突起１０６及び第２突起１０７が、突起５６と接触部５５との間隔を押し広げるように弾性接触片５４を弾性変形させる。そして、第１突起１０６及び第２突起１０７が下方に移動しながら、突起５６及び接触部５５をそれぞれ乗り越える。その後、第１突起１０６と突起５６とが係合し、接触部１０３と接触部５５とが接触する。プラグ電源コンタクト１００とリセプタクル電源コンタクト５０との接触は、第１突起１０６と突起５６との係合、及び接触部１０３と接触部５５との接触による二点である。以上により、プラグ電源コンタクト１００及びリセプタクル電源コンタクト５０を介して、回路基板ＣＢ２及び回路基板ＣＢ１の双方への電源供給が可能になる。
【００６８】
この時、嵌合凹部８３が嵌合凸部３３に嵌合し、環状壁８２の前壁８２ａ及び後壁８２ｂが嵌合凹部３４にそれぞれ嵌合する（図２２、図２３（ｂ）、図２４（ｂ））。また、プラグ遮蔽部材１１０が、対応するリセプタクル遮蔽部材６０と嵌合する。より具体的には、プラグ遮蔽部材１１０とリセプタクル遮蔽部材６０との嵌合時に、屈曲部１１４が、弾性変形部６２によって受け入れられる。この時、プラグ遮蔽部材１１０の外周側遮蔽部１１１と、リセプタクル遮蔽部材６０の外周側遮蔽部６１との間に空隙が形成される。また、屈曲部１１４と弾性変形部６２とが、断面視において内側の一点で接触する。より具体的には、内周側遮蔽部１１２と弾性変形部６２の上縁部とが、断面視において内側の一点で接触する。
【００６９】
さらに、プラグ遮蔽部材１１０の係合部１１６とリセプタクル遮蔽部材６０の係合部６６とが係合する。
【００７０】
以上により、リセプタクルコネクタ２０とプラグコネクタ７０とは、完全に接続される。
【００７１】
この時、リセプタクル遮蔽部材６０及びプラグ遮蔽部材１１０は、互いに嵌合した状態で、それぞれの一部がリセプタクルインシュレータ３０及びプラグインシュレータ８０と離間するように構成される。より具体的には、弾性変形部６２及び誘い込み部６４は、外周壁３２と環状壁８２とに対して、前後方向に離間する。また、内周側遮蔽部１１２は、外周壁３２と環状壁８２とに対して、前後方向に離間する。
【００７２】
さらに、一対のリセプタクル遮蔽部材６０間の空隙の位置と一対のプラグ遮蔽部材１１０間の空隙の位置とが、短手方向に異なっている（図２２参照）。より具体的には、一対のリセプタクル遮蔽部材６０によって左右両端部に形成される前後方向の空隙が、一対のプラグ遮蔽部材１１０によって左右両端部に形成される前後方向の空隙と重畳しない。すなわち、接続されたリセプタクルコネクタ２０及びプラグコネクタ７０の内部は、一対のリセプタクル遮蔽部材６０及び一対のプラグ遮蔽部材１１０によって、完全に囲繞される。
【００７３】
以上のようなコネクタ１０は、低背化した状態であっても、リセプタクル遮蔽部材６０及びプラグ遮蔽部材１１０を確実に接触させることが可能である。これにより、コネクタ１０は、リセプタクル遮蔽部材６０及びプラグ遮蔽部材１１０によって構成される遮蔽構造の剛性を向上できる。また、コネクタ１０は、プラグ遮蔽部材１１０が屈曲部１１４を有することでプラグ遮蔽部材１１０自体の剛性を向上できる。これにより、コネクタ１０は、嵌合作業時又は実装時の反り、撓み、及び破損を防止できる。さらに、リセプタクル遮蔽部材６０が弾性変形部６２及び誘い込み部６４を有することにより、プラグ遮蔽部材１１０とリセプタクル遮蔽部材６０との嵌合性をより向上できる。
【００７４】
コネクタ１０は、嵌合時に外周側遮蔽部６１と外周側遮蔽部１１１との間に空隙が形成されることで、リセプタクル遮蔽部材６０又はプラグ遮蔽部材１１０の微小な位置ずれ及び撓みを許容することができる。すなわち、コネクタ１０は、リセプタクル遮蔽部材６０とプラグ遮蔽部材１１０との嵌合時に上記の位置ずれ及び撓みによって与えられる、リセプタクルコンタクト４０とプラグコンタクト９０との嵌合への影響を抑制できる。
【００７５】
コネクタ１０は、係合部６６と係合部１１６とが係合することにより、リセプタクルコネクタ２０とプラグコネクタ７０との接続を強固にできる。
【００７６】
コネクタ１０は、リセプタクル遮蔽部材６０が複数の貫通孔６３を有することで、低背化されたとしても弾性変形部６２のばね長さを長くすることができる。すなわち、弾性変形部６２を追従性に優れ塑性変形し難いものとすることができる。これにより、コネクタ１０は、弾性変形部６２の弾性変形を容易にし、リセプタクル遮蔽部材６０とプラグ遮蔽部材１１０との嵌合性を向上するとともに破損防止を実現できる。また、コネクタ１０は、複数の貫通孔６３により、実装部６５を配置する空間を確保することができる。
【００７７】
コネクタ１０は、リセプタクル遮蔽部材６０が実装部６５を有することで、はんだ付けによりリセプタクル遮蔽部材６０と回路基板ＣＢ１の接地パターンとを導通させることができる。同様に、コネクタ１０は、プラグ遮蔽部材１１０が実装部１１５を有することで、はんだ付けによりプラグ遮蔽部材１１０と回路基板ＣＢ２の接地パターンとを導通させることができる。これにより、コネクタ１０は、リセプタクルコンタクト４０及びプラグコンタクト９０などに外部ノイズが入ったり、リセプタクルコンタクト４０及びプラグコンタクト９０などからのノイズが外部に漏れたりするのを効果的に防止できる。
【００７８】
コネクタ１０は、リセプタクル遮蔽部材６０の実装部６５が内側に延出することで、実装部６５自体もリセプタクル遮蔽部材６０の内部に配置できる。これにより、コネクタ１０は、ノイズを効果的に遮蔽することができる。
【００７９】
コネクタ１０は、プラグ遮蔽部材１１０の実装部１１５が直線状に延出することで、リセプタクル遮蔽部材６０とプラグ遮蔽部材１１０との嵌合時に、リセプタクル遮蔽部材６０の上縁部を回路基板ＣＢ２に可能な限り近接させることができる。これにより、コネクタ１０は、ノイズの遮蔽効果を高めることができる。
【００８０】
コネクタ１０は、リセプタクル遮蔽部材６０の一部及びプラグ遮蔽部材１１０の一部がリセプタクルインシュレータ３０及びプラグインシュレータ８０の双方と離間することで、リセプタクル遮蔽部材６０及びプラグ遮蔽部材１１０の内部にリセプタクルコンタクト４０及びプラグコンタクト９０などを配置できる。従って、コネクタ１０は、ノイズの遮蔽効果を高めることができる。
【００８１】
コネクタ１０は、弾性変形部６２と屈曲部１１４とが一点で接触することで、ノイズの流れを乱すことなく接地パターンへと導くことができる。これにより、コネクタ１０は、ノイズの遮蔽効果を高めることができる。また、上述のとおり、コネクタ１０は、嵌合時に外周側遮蔽部６１と外周側遮蔽部１１１との間に空隙が形成されることで、位置ずれ及び撓みによって与えられる、リセプタクルコンタクト４０とプラグコンタクト９０との嵌合への影響を抑制できる。
【００８２】
コネクタ１０は、リセプタクル遮蔽部材６０及びプラグ遮蔽部材１１０の各々の対向する短手部の長さが非対称であり、一対のリセプタクル遮蔽部材６０及び一対のプラグ遮蔽部材１１０によって外周に空隙を作ることなく内側の構成部を完全に囲繞するので、ノイズの遮蔽効果を高めることができる。このように、コネクタ１０は、十分なノイズ遮蔽効果を得ることが可能である。
【００８３】
コネクタ１０は、リセプタクル遮蔽部材６０の外側が平板状の外周側遮蔽部６１によって構成されることで、外部からのノイズを平面で受けることができる。同様に、コネクタ１０は、プラグ遮蔽部材１１０の外側が平板状の外周側遮蔽部１１１によって構成されることで、外部からのノイズを平面で受けることができる。すなわち、コネクタ１０は、外面が複雑な形状で構成される場合に比べて、ノイズの遮蔽効果をより安定させることができる。
【００８４】
コネクタ１０は、リセプタクル遮蔽部材６０及びプラグ遮蔽部材１１０の前後左右方向に沿った構造がそれぞれ二重構造となることで、ノイズの遮蔽効果を向上できる。
【００８５】
コネクタ１０は、嵌合時にプラグ遮蔽部材１１０がリセプタクル遮蔽部材６０と初めに接触することで、プラグコンタクト９０及びリセプタクルコンタクト４０の破損を防止できる。同様に、コネクタ１０は、プラグインシュレータ８０及びリセプタクルインシュレータ３０の破損も防止できる。
【００８６】
コネクタ１０は、取付部６８の上端部と取付部１１８の上端部とがＲ形状をなし、誘い込みの機能が実現することで、嵌合性を向上できる。
【００８７】
コネクタ１０は、取付部６８及び取付部１１８が断面視において略コ字状となることで、リセプタクルインシュレータ３０及びプラグインシュレータ８０の対応する部分を３方向より保護し、嵌合時の各インシュレータの破損を防止できる。
【００８８】
コネクタ１０は、低背化した状態であっても、回路基板ＣＢ１及びＣＢ２への実装の確認を容易とする。すなわち、作業者は、リセプタクルコンタクト４０の実装部４１、リセプタクル電源コンタクト５０の実装部５１、及びリセプタクル遮蔽部材６０の実装部６５を上下方向から視認可能であることにより、はんだ付けが正確に行われているか否かを容易に検査することができる。同様に、作業者は、プラグコンタクト９０の実装部９１及びプラグ電源コンタクト１００の実装部１０１を上下方向から視認可能であることにより、はんだ付けが正確に行われているかを容易に検査することができる。
【００８９】
コネクタ１０は、プラグコンタクト９０及びプラグ電源コンタクト１００がそれぞれ誘い込み部９５及び誘い込み部１０５を有することで、嵌合性を向上できる。また、コネクタ１０は、スタビライザ１０８を有することで、プラグ電源コンタクト１００のプラグ成形品７５からのめくれを防止し、プラグ成形品７５への保持後の動きを規制できる。
【００９０】
コネクタ１０は、プラグ電源コンタクト１００がリセプタクル電源コンタクト５０と二点で接触し、挟持されることによって、リセプタクルコネクタ２０とプラグコネクタ７０との嵌合時の保持力を向上できる。さらに、コネクタ１０は、プラグ突起９４、第１突起１０６、及び第２突起１０７がプラグコネクタ７０の抜去方向における乗り越え壁の役割を果たすことで、抜止作用を実現できる。換言すると、コネクタ１０は、嵌合時の保持力を向上できる。
【００９１】
また、コネクタ１０は、プラグ突起９４、第１突起１０６、及び第２突起１０７によって、嵌合時に作業者に対してクリック感を与えることができる。すなわち、コネクタ１０は、作業性の向上に寄与する。
【００９２】
コネクタ１０は、コンタクト係合突起３５ｂがリセプタクルコンタクト４０の一対の係止部４２の間に位置することで、組立時又は使用時のリセプタクルコンタクト４０の前後方向への回転を抑止することができる。すなわち、コネクタ１０は、リセプタクルコンタクト４０のリセプタクルインシュレータ３０に対する保持位置の精度を向上できる。
【００９３】
同様に、コネクタ１０は、電源コンタクト係合突起３６ｂがリセプタクル電源コンタクト５０の一対の係止部５２の間に位置することで、組立時又は使用時のリセプタクル電源コンタクト５０の前後方向への回転を抑止することができる。すなわち、コネクタ１０は、リセプタクル電源コンタクト５０のリセプタクルインシュレータ３０に対する保持位置の精度を向上できる。
【００９４】
リセプタクルコンタクト４０及びプラグコンタクト９０は、コネクタ１０が低背化した状態であっても、高周波信号に対する良好な伝送特性を得ることが可能である。
【００９５】
すなわち、リセプタクルコンタクト４０は、湾曲部４３の高さが接触部４５の高さよりも低くなることで、嵌合時に湾曲部４３と実装部９１との間の離間距離を大きくすることができる。これにより、リセプタクルコンタクト４０は、プラグコンタクト９０との電気的結合を抑止できるためクロストークを抑制できる。
【００９６】
リセプタクルコンタクト４０は、弾性接触片４４が湾曲部４３よりも幅広であることで、高周波信号に対する伝送特性を向上できる。さらに、リセプタクルコンタクト４０は、弾性接触片４４の先端位置が接触部４５の高さ位置と同程度であるように構成されることで、同様に高周波信号に対する伝送特性を向上できる。
【００９７】
プラグコンタクト９０は、延出部９３の略Ｕ字の先端位置が接触部９２の高さ位置と同程度であるように構成されることでスタブ成分を低下でき、高周波信号に対する伝送特性を向上できる。
【００９８】
プラグコンタクト９０及びリセプタクルコンタクト４０は、嵌合時に一点のみで互いに接触することで、高周波信号に対する電流の乱れを抑制し、伝送特性を向上できる。
【００９９】
以上により、回路基板ＣＢ１に実装した上記電子部品（例えば、ＣＰＵ、コントローラ、又はメモリ等）と回路基板ＣＢ２に実装した上記電子部品（例えば、高機能用モジュール、半導体、又は大容量メモリ等）との間における伝送特性の良好な高速通信が可能になる。
【０１００】
本発明は、その精神又はその本質的な特徴から離れることなく、上述した実施形態以外の他の所定の形態で実現できることは当業者にとって明白である。従って、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【０１０１】
例えば、リセプタクルコネクタ２０及びプラグコネクタ７０との間で、各遮蔽部材の構造が入れ替わってもよい。
【０１０２】
また、係合部６６が凹み状に形成され、係合部１１６が爪状に形成されてもよい。
【０１０３】
また、コネクタ１０は、プラグ遮蔽部材１１０から外周側遮蔽部１１１及び内周側遮蔽部１１２の一方を省略してもよい。一方で、コネクタ１０は、外周側遮蔽部１１１及び内周側遮蔽部１１２とは別の遮蔽部を１つ以上、外周側遮蔽部１１１及び内周側遮蔽部１１２と前後方向に並べて設けてもよい。同様に、コネクタ１０は、外周側遮蔽部６１とは別の遮蔽部を１つ以上、外周側遮蔽部６１と前後方向に並べて設けてもよい。
【０１０４】
また、リセプタクル遮蔽部材６０及びプラグ遮蔽部材１１０の基材を樹脂により構成し、当該基材（樹脂）の表面を導電性材料によりめっき又はコーティングしてもよい。
【符号の説明】
【０１０５】
１０    コネクタ
２０    リセプタクルコネクタ（第１コネクタ）
３０    リセプタクルインシュレータ（第１インシュレータ）
３１    底板部
３２    外周壁
３２ａ  前壁
３２ｂ  後壁
３３    嵌合凸部
３４    嵌合凹部
３５    コンタクト取付溝
３５ａ  変形許容溝
３５ｂ  コンタクト係合突起
３６    電源コンタクト取付溝
３６ａ  変形許容溝
３６ｂ  電源コンタクト係合突起
３７    支持部
４０    リセプタクルコンタクト（コンタクト）
４１    実装部
４２    係止部
４３    湾曲部
４４    弾性接触片
４５    接触部（第１接触部）
５０    リセプタクル電源コンタクト
５１    実装部
５２    係止部
５３    湾曲部
５４    弾性接触片
５５    接触部
５６    突起
６０    リセプタクル遮蔽部材（第１遮蔽部材）
６１    外周側遮蔽部（第１外周側遮蔽部）
６２    弾性変形部
６３    貫通孔
６４    誘い込み部
６５    実装部（第１実装部）
６６    係合部（第１係合部）
６７    短手部
６８    取付部
７０    プラグコネクタ（第２コネクタ）
７５    プラグ成形品
８０    プラグインシュレータ（第２インシュレータ）
８１    底板部
８２    環状壁
８２ａ  前壁
８２ｂ  後壁
８３    嵌合凹部
８４    コンタクト保持溝
８５    電源コンタクト取付溝
８６    支持部
９０    プラグコンタクト（コンタクト）
９１    実装部
９２    接触部（第２接触部）
９３    延出部
９４    プラグ突起
９５    誘い込み部
１００  プラグ電源コンタクト
１０１  実装部
１０２  延出部
１０３  接触部
１０４  係止部
１０５  誘い込み部
１０６  第１突起
１０７  第２突起
１０８  スタビライザ
１１０  プラグ遮蔽部材（第２遮蔽部材）
１１１  外周側遮蔽部（第２外周側遮蔽部）
１１２  内周側遮蔽部
１１３  湾曲接続部
１１４  屈曲部
１１５  実装部（第２実装部）
１１６  係合部（第２係合部）
１１７  短手部
１１８  取付部
ＣＢ１  回路基板（第１回路基板）
ＣＢ２  回路基板（第２回路基板）
Ｓ１    空隙
Ｓ２    空隙
【図１】
2018022672.tif 000003
【図２】
2018022672.tif 000004
【図３】
2018022672.tif 000005
【図４】
2018022672.tif 000006
【図５】
2018022672.tif 000007
【図６】
2018022672.tif 000008
【図７】
2018022672.tif 000009
【図８】
2018022672.tif 000010
【図９】
2018022672.tif 000011
【図１０】
2018022672.tif 000012
【図１１】
2018022672.tif 000013
【図１２】
2018022672.tif 000014
【図１３】
2018022672.tif 000015
【図１４】
2018022672.tif 000016
【図１５】
2018022672.tif 000017
【図１６】
2018022672.tif 000018
【図１７】
2018022672.tif 000019
【図１８】
2018022672.tif 000020
【図１９】
2018022672.tif 000021
【図２０】
2018022672.tif 000022
【図２１】
2018022672.tif 000023
【図２２】
2018022672.tif 000024
【図２３】
2018022672.tif 000025
【図２４】
2018022672.tif 000026